(57)【要約】      （修正有）【課題】ハンギング式高設栽培装置を実現し提供する。【解決手段】ハウス２１内に吊り下げ配置した栽培槽ユニット２により栽培作物の高設栽培を行うものであって、栽培槽ユニットは、パイプで正面視三角枠形状に組む込み一列に間隔をおいて配列されて吊り下げ具２２、頂部横架材１３により各頂部を吊ることにより栽培槽ユニット全体を簡易に安定させることができ、地面上の所定の高さで並列となるように吊り下げられる複数の吊り下げ用の躯体３と一列、並列配置の複数の躯体における各底部両内隅部に長さ方向に横架する一対の横架材と各躯体、一対の横架材の下部に排水樋にするため長さ方向に取り付けるプラスチックシート部４と各躯体の各底部上、一対の横架材上に長さ方向に配置する栽培槽としてのプラスチックバッグ部５とを有し、ハウス内に配置した潅水手段２３により、プラスチックバッグ部の上方からこのプラスチックバッグ部内の栽培作物Ｏに給水又は養液し、下方に排水する。【選択図】図４
0003223118.tif 000002
【実用新案登録請求の範囲】
【請求項１】
ハウス内に吊り下げ配置した栽培槽ユニットにより栽培作物の高設栽培を行うハンギング式高設栽培装置であって、
前記栽培槽ユニットは、
パイプで正面視三角枠形状に組む込み一列に間隔をおいて配列されて吊り下げ具、頂部横架材により各頂部を吊ることにより前記栽培槽ユニット全体を簡易に安定させることができるとともに、地面上の所定の高さで並列となるように吊り下げられる複数の吊り下げ用の躯体と、
前記一列、並列配置の複数の躯体における各底部両内隅部に長さ方向に横架する一対の前記各躯体、一対の横架材の下部に排水樋にするため長さ方向に取り付けるプラスチックシート部と、
前記各躯体の各底部上、前記一対の横架材上に長さ方向に配置する栽培槽としてのプラスチックバッグ部と、
を有し、
前記ハウス内に配置した潅水手段により、前記プラスチックバッグ部の上方からこのプラスチックバッグ部内の栽培作物に給水又は養液し、下方に排水するように構成したことを特徴とするハンギング式高設栽培装置。
【請求項２】
ハウス内に複数列にわたって吊り下げ配置した各栽培槽ユニットにより栽培作物の高設栽培を行うハンギング式高設栽培装置であって、
前記各栽培槽ユニットは、
パイプで正面視三角枠形状に組む込み一列に間隔をおいて配列されて吊り下げ具、頂部横架材により各頂部を吊ることにより前記栽培槽ユニット全体を簡易に安定させることができるとともに、地面上の所定の高さで並列となるように吊り下げられる複数の吊り下げ用の躯体と、
前記一列、並列配置の複数の躯体における各底部両内隅部に長さ方向に横架する一対の横架材と、
前記各躯体、一対の横架材の下部に排水樋にするため長さ方向に取り付けるプラスチックシート部と、
前記各躯体の各底部上、前記一対の横架材上に長さ方向に配置する栽培槽としてのプラスチックバッグ部と、
を有し、
前記ハウス内に配置した潅水手段により、前記複数列のプラスチックバッグ部の上方からこれら各プラスチックバッグ部内の栽培作物に給水又は養液し、下方に排水するように構成したことを特徴とするハンギング式高設栽培装置。
【請求項３】
前記頂部横架材、一対の横架材は、各々躯体の頂部内隅部、底部両内隅部に長さ方向に配置する短尺の補助管を介して、前記各短尺の補助管に連結配置されることを特徴とする請求項１又は２記載のハンギング式高設栽培装置。
【考案の詳細な説明】
【技術分野】
【０００１】
本考案は、ハンギング式高設栽培装置に関し、詳しくは、設備が簡略で安価に構築できるとともに、ハウスの床面又は地面領域に支柱等が不要であるために作業者の栽培作業に使用する台車や車椅子等の利用を円滑にし、作業性向上を図ることができ、更には観光農園事業においても高齢者や障害者などの介護が必要な事態にも適切な対応ができるハンギング式高設栽培装置に関するするものである。
【背景技術】
【０００２】
従来においては、イチゴ等々の栽培作物を高設栽培する場合、地面から支柱などで基台を作り、鉄製の樋又は発泡スチロール等でベッドを作り、そのベッド内に培地（ロックウール・モス類）を設定充填する構成が一般的である。
【０００３】
このため、従来にあっては、設備が複雑、かつ、高額になり、更に足元が狭くなって栽培作業に使用する台車、障害者の車椅子利用や、観光農園事業に支障が生じていた。
【０００４】
特許文献１には、栽培槽を一方向に連ねて地面より高位置に架設する高設栽培装置の架台が、ハウス内の地面に直接設置されずに、その地面に所定間隔で平行に敷設された複数本のレールと直交する方向に栽培槽を連ねるように配置されて、レール上を移動可能な台車に設置搭載される構成の高設栽培装置が開示されている。
【０００５】
しかし、特許文献１の高設栽培装置の場合、栽培槽はハウス内の地面に直接設置されてはいないものの、ハウス内の地面にはレールが敷設され、このレール上を移動可能な台車により栽培槽を支持する構成としたものである。
このため、レールや台車を必要とし、設備が複雑、かつ、高額になってしまうと推定される。
【先行技術文献】
【特許文献】
【０００６】
【特許文献１】特開２００４−１８７６１５号公報
【考案の概要】
【考案が解決しようとする課題】
【０００７】
本考案は、上記従来の実情に鑑み開発されたものであり、設備が簡略で安価に構築できるとともに、ハウスの床面又は地面領域に支柱等が不要であるために作業者の栽培作業の作業性向上を図ることができ、更には観光農園事業にも大いに貢献し得るハンギング式高設栽培装置を提供するものである。
【課題を解決するための手段】
【０００８】
本考案は、ハウス内に吊り下げ配置した栽培槽ユニットにより栽培作物の高設栽培を行うハンギング式高設栽培装置であって、前記栽培槽ユニットは、パイプで正面視三角枠形状に組む込み一列に間隔をおいて配列されて吊り下げ具、頂部横架材により各頂部が地面上の所定の高さで並列となるように吊り下げられる複数の吊り下げ用の躯体と、前記一列、並列配置の複数の躯体における各底部両内隅部に長さ方向に横架する一対の横架材と、前記各躯体、一対の横架材の下部に排水樋にするため長さ方向に取り付けるプラスチックシート部と、前記各躯体の各底部上、前記一対の横架材上に長さ方向に配置する栽培槽としてのプラスチックバッグ部と、を有し、ハウス内に配置した潅水手段により、前記プラスチックバッグ部の上方からこのプラスチックバッグ部内の栽培作物に給水又は養液し、排水するように構成したことを最も主要な特徴とする。
【考案の効果】
【０００９】
請求項１記載の考案によれば、ハウス内の前記栽培槽ユニットを単列構成として、設備が簡略で安価に構築できるとともに、ハウスの床面又は地面領域に支柱等が不要であるため、また、栽培槽ユニットを作業者の目線の位置に合わせることで、作業者の台車や車椅子等の幅の規制を解消できるとともに、通路を狭くすることができ栽培作物の植栽密度を高めることが可能となり、作業者の栽培作業の作業性向上を図ることができ、更には観光農園事業にも大いに貢献し得るハンギング式高設栽培装置を実現し提供することができる。
【００１０】
請求項２記載の考案によれば、ハウス内の前記栽培槽ユニットを複数構成として、設備が簡略で安価に構築できるとともに、ハウスの床面又は地面領域に支柱等が不要であるために作業者の栽培作業の作業性向上を図ることができ、更には観光農園事業にも大いに貢献し得るハンギング式高設栽培装置を実現し提供することができる。
【００１１】
請求項３記載の考案によれば、請求項１又は２記載の考案の効果を奏し、かつ、前記補助管の採用により、栽培槽ユニットの組み立て容易化、頂部横架材や一対の横架材の安定支持を可能とするハンギング式高設栽培装置を実現し提供することができる。
【図面の簡単な説明】
【００１２】
【図１】図１は本考案の実施例に係るハンギング式高設栽培装置における栽培槽ユニットの概略斜視図である。
【図２】図２は本実施例に係るハンギング式高設栽培装置における栽培槽ユニットを構成する三角枠形状に組む込んだ躯体、補助管を示す概略斜視図である。
【図３】図３は本実施例に係るハンギング式高設栽培装置における単列の栽培槽ユニットの実体的構成態様を示す説明図である。
【図４】図４は本実施例に係るハンギング式高設栽培装置における複数の栽培槽ユニットの実体的構成態様を示す説明図である。
【考案を実施するための形態】
【００１３】
本考案は、設備が簡略で安価に構築できるとともに、ハウスの床面又は地面領域に支柱等が不要であるために作業者の栽培作業の作業性向上を図ることができ、更には観光農園事業にも大いに貢献し得るハンギング式高設栽培装置を実現し提供するという目的を、ハウス内に複数列にわたって吊り下げ配置した各栽培槽ユニットにより栽培作物の高設栽培を行うハンギング式高設栽培装置であって、前記各栽培槽ユニットは、各々パイプで正面視三角枠形状に組む込み一列に間隔をおいて配列されて吊り下げ具、頂部横架材により各頂部が地面上の所定の高さで並列となるように吊り下げられる複数の吊り下げ用の躯体と、前記一列、並列配置の複数の躯体における各底部両内隅部に長さ方向に横架する一対の横架材と、前記各躯体、一対の横架材の下部に排水樋にするため長さ方向に取り付けるプラスチックシート部と、前記各躯体の各底部上、前記一対の横架材上に長さ方向に配置する栽培槽としてのプラスチックバッグ部と、を有し、前記ハウス内に配置した潅水手段により、前記複数列のプラスチックバッグ部の上方からこれら各プラスチックバッグ部内の栽培作物に給水又は養液し、下方に排水する構成により実現した。
【実施例】
【００１４】
以下、図面を参照して、本考案の実施例に係るハンギング式高設栽培装置について詳細に説明する。
【００１５】
本実施例に係るハンギング式高設栽培装置１は、図１乃至図３に示すように、ハウス２１内に吊り下げ配置したにより例えばイチゴの苗等々の栽培作物Ｏの高設栽培を行うものである。
【００１６】
前記栽培槽ユニット２は、パイプで正面視三角枠形状に組む込み一列に間隔をおいて配列されてハウス２１内の天井部から垂下配置する吊り下げ具２２、をパイプからなる長尺の頂部横架材１３により各頂部３ａを吊ることにより簡易に栽培槽ユニット全体を安定させることができるとともに、地面上の所定の高さ（後述するプラスチックバッグ部５が作業者の作業上作業し易い高さ）で並列となるように吊り下げられる複数の吊り下げ用の躯体３と、前記一列、並列配置の複数の躯体３における各底部両内隅部に長さ方向に横架する一対のパイプからなる長尺の横架材１２、１２と、前記各躯体３、一対の横架材１２、１２の下部に排水樋にするため長さ方向に取り付けるプラスチックシート部４と、前記各躯体３の各底部上、前記一対の横架材１２、１２上に長さ方向に配置する栽培槽としてのプラスチックバッグ部５と、を有し、前記ハウス２１内に配置した潅水手段２３により、前記プラスチックバッグ部５の上方からこのプラスチックバッグ部５内の栽培作物Ｏに給水又は養液し、下方に排水するように構成している。
【００１７】
前記頂部横架材１１、一対の横架材１２、１２の各両端部は、図１及び図２に示すように、各々躯体３の頂部内隅部、底部両内隅部に長さ方向（栽培槽ユニット２の長さ方向）に添着配置する短尺の補助管１３（本実施例では躯体３一個当たり３個）を介して、これら各短尺の補助管１３に連結配置されるように構成している。
【００１８】
なお、図３は、本実施例に係るハンギング式高設栽培装置１における単列で栽培作物Ｏを含む栽培槽ユニット２のハウス２１内における実体的構成態様を概略的に示すものである。
【００１９】
本実施例に係るハンギング式高設栽培装置１によれば、栽培槽ユニット２を含む装置構造が上述したように簡略であり、設備コストの低廉化を図ることができること、ハウス２１内において、栽培槽ユニット２を吊り下げ式としているので栽培作物Ｏが作業者の目線近くにあるためその管理や収穫作業がし易いこと、栽培槽ユニット２の上述した構成により、栽培作物Ｏの栽培密度を上げることができること等の優れた効果を奏するものである。
【００２０】
図４は、本実施例に係るハンギング式高設栽培装置１における栽培作物Ｏを含む栽培槽ユニット２のハウス２１内における複数列の実体的構成態様を概略的に示すものである。
【００２１】
図４に示す構成の場合も、図３に示す構成の場合と同様な効果を奏し、更に、ハウス２１内における通路の床面においては支柱等が不要であるため、作業器具や車椅子等を床面上で自由に移動させることができ、しかも、観光客を対象とする観光農園事業や障害者雇用にも大いに貢献し得るものである。
【産業上の利用可能性】
【００２２】
本考案のハンギング式高設栽培装置は、ハウス栽培可能な各種果物類、各種野菜類等のハンギング式高設栽培用として広範に利用可能である。
【符号の説明】
【００２３】
１    ハンギング式高設栽培装置
２    栽培槽ユニット
３    躯体
３ａ  頂部
４    プラスチックシート部
５    プラスチックバッグ部
１１    頂部横架材
１２    横架材
１３    補助管
２１    ハウス
２２    吊り下げ具
２３    潅水手段
Ｏ    栽培作物
【図１】
0003223118.tif 000003
【図２】
0003223118.tif 000004
【図３】
0003223118.tif 000005
【図４】
0003223118.tif 000006